(57)【要約】【課題】録画予約が重複した場合に、受信状態が良好な方を選択できる記録機能付放送受信装置及びプログラムを提供する。【解決手段】制御部２０は、予約管理部２２の番組予約リストを参照し、その予約番組終了前に他の予約があるかを確認する。重複予約があれば、制御部２０がチューナ１４を起動し、重複予約をした番組の放送局の受信状態を取得する処理を行う。制御部２０は、各放送局の受信状態を比較し、いずれの受信状態のほうが良好かを判定する。受信状態が良好な方の放送局の番組を記録部１９に記録する。【選択図】図１
2013150183.tif 000002
【特許請求の範囲】
【請求項１】
放送番組を受信して記録する機能を持つ放送受信装置において、
記録予約番組と、その記録予約時間とを記憶する予約管理部と、
前記予約管理部に記憶されている前記記録予約番組の記録予約時間が重複した場合、受信状態の良好な方の番組を記録する制御部と、
を備えることを特徴とする記録機能付放送受信装置。
【請求項２】
放送番組を受信するチューナを備え、
前記制御部は、前記記録予約番組の放送の受信状態を前記チューナから取得して、良好な受信状態の方の前記記録予約番組を記録することを特徴とする請求項１に記載の記録機能付放送受信装置。
【請求項３】
前記制御部は、記録開始時刻前にユーザに各放送方式の最良の受信状態が得られる操作を報知し、一定時間受信状態比較を行い、記録する放送の選択を行うことを特徴とする請求項２に記載の記録機能付放送受信装置。
【請求項４】
現在の装置の位置を取得する現在位置取得部と、
各放送の受信可能エリアを記憶する放送受信エリア記憶部と、
を備え、
前記制御部は、前記現在位置取得部から記録開始時刻に現在位置を取得し、前記放送受信エリア記憶部に記憶されている受信可能エリアから継続して受信できる可能性の高い放送を選択し、その放送の前記記録予約番組を記録することを特徴とする請求項１に記載の記録機能付放送受信装置。
【請求項５】
放送番組を受信して記録する機能を持つ放送受信装置に実行させるためのプログラムにおいて、
コンピュータを、
記録予約番組と、その記録予約時間とを記憶する予約管理手段と、
前記予約管理手段に記憶されている前記記録予約番組の記録予約時間が重複した場合、受信状態の良好な方の番組を記録する制御手段として機能させるためのプログラム。
【発明の詳細な説明】
【技術分野】
【０００１】
本発明は、デジタル放送等を受信してそれを録画できる記録機能付放送受信装置及びプログラムに関する。
【背景技術】
【０００２】
近年、デジタル放送を受信して録画可能な装置があり、携帯電話や携帯パソコンなどの携帯端末装置（モバイル機器）においてもワンセグなどのデジタル放送を録画可能なものが登場している。録画するときはＥＰＧ（Electronic Program Guide）の番組情報などに基づいて、ユーザが録画予約を行い、録画実行をさせるのが一般的である。
【０００３】
このとき録画装置において予約時間が重複し、いずれか一方しか録画できない場合、録画する番組を選択する手段として下記が提案されている。
【０００４】
特許文献１では、ユーザの視聴履歴より作成される嗜好分析データに基づいて、番組のなかでユーザが特定の時間帯だけ視聴して時間帯があれば、その番組ではその部分のみを録画する装置が開示されている。
【０００５】
特許文献２では、装置が予め設定されたキーワードに基づいて自動番組予約を行うとともに、そのキーワードに対応する優先度を記憶し、また、ユーザが手動設定で番組予約と優先度を設定し、予約が重複したときは、優先度に基づいてどちらかの番組を選択して録画する装置が開示されている。
【０００６】
特許文献３では、視聴履歴情報に基づいて、自動的に録画設定を行うが、ユーザが設定した手動予約と重複する場合は手動予約を優先する装置が開示されている。
【先行技術文献】
【特許文献】
【０００７】
【特許文献１】特開２００９−２２４９２６号公報
【特許文献２】特開２００６−３２４７７７号公報
【特許文献３】特開２００２−１５２６３９号公報
【発明の概要】
【発明が解決しようとする課題】
【０００８】
１つのチューナを搭載した録画機能付デジタル放送受信機では、同時に視聴可能な番組がひとつという制約があるため、録画対象の番組が重複した場合、通常は録画予約時にユーザに対し重複を知らせ複数番組の同時予約をなくすことで、同じ時間帯にはひとつの番組のみが録画予約可能としている。しかし、例えばＶＨＦ帯での放送とＵＨＦ帯での放送のように、異なる放送方式のデジタル放送の受信機能を持つモバイル機器では、予約録画時刻の受信機の状態により、どの放送方式を良好に受信できるかが異なるため、録画予約時に録画対象の番組を決定した場合、録画時においては事前に選択した番組は受信不可で、録画重複のため録画しないようにした別の放送方式が受信可能であることが起こる。
上記特許文献においては、予約録画開始時刻に受信機が置かれている状況により予約が重複したそれぞれの放送の受信状態に違いが出る場合、それに対応する技術は開示されていない。
【０００９】
本発明は、斯かる実情に鑑み、録画予約が重複した場合に、受信状態が良好な方を選択できる記録機能付放送受信装置及びプログラムを提供しようとするものである。
【課題を解決するための手段】
【００１０】
本発明は、放送番組を受信して記録する機能を持つ放送受信装置において、
記録予約番組と、その記録予約時間とを記憶する予約管理部と、前記予約管理部に記憶されている前記記録予約番組の記録予約時間が重複した場合、受信状態の良好な方の番組を記録する制御部と、を備えることを特徴とする。
【００１１】
また、本発明は、さらに放送番組を受信するチューナを備え、前記制御部は、前記記録予約番組の放送の受信状態を前記チューナから取得して、良好な受信状態の方の前記記録予約番組を記録することを特徴とする。
【００１２】
またさらに、前記制御部は、記録開始時刻前にユーザに各放送方式の最良の受信状態が得られる操作を報知し、一定時間受信状態比較を行い、記録する放送の選択を行うことを特徴とする。
【００１３】
また、本発明は、現在の装置の位置を取得する現在位置取得部と、各放送の受信可能エリアを記憶する放送受信エリア記憶部と、を備え、
前記制御部は、前記現在位置取得部から記録開始時刻に現在位置を取得し、前記放送受信エリア記憶部に記憶されている受信可能エリアから継続して受信できる可能性の高い放送を選択し、その放送の前記記録予約番組を記録することを特徴とする。
【００１４】
また、本発明は、放送番組を受信して記録する機能を持つ放送受信装置に実行させるためのプログラムにおいて、
コンピュータを、記録予約番組と、その記録予約時間とを記憶する予約管理手段と、前記予約管理手段に記憶されている前記記録予約番組の記録予約時間が重複した場合、受信状態の良好な方の番組を記録する制御手段として機能させるためのプログラム。
【発明の効果】
【００１５】
本発明によれば、記録予約が重複した場合でも、予約時に記録する番組の選択を行わず、記録開始時刻に放送受信装置が安定して受信可能な放送局の番組を選択し記録する。本発明をモバイル機器に適用した場合、予約時に番組選択を行う場合に比べ記録時刻に受信圏外のために記録が不可となるリスクを低減することができる。
【図面の簡単な説明】
【００１６】
【図１】デジタル放送を受信できる携帯電話機の実施例１を示すブロック図である。
【図２】予約管理テーブルの番組予約リストの一例を示す図である。
【図３】重複録画予約がなされた実施例１の携帯電話機の動作を示すフローチャートである。
【図４】デジタル放送を受信できる携帯電話機の実施例２を示すブロック図である。
【図５】重複録画予約がなされた実施例２の携帯電話機の動作を示すフローチャートである。
【発明を実施するための形態】
【００１７】
以下、本発明の実施の形態を添付図面を参照して説明する。
【００１８】
[実施例１］
図１は、デジタル放送を受信できる携帯電話機の実施例１を示すブロック図である。
この携帯電話機１０は、本発明に係る記録機能付放送受信装置の一例であり、ＶＨＦアンテナ１１、ＵＨＦアンテナ１２、アンテナ切替部１３、チューナ１４、ＴＳ（トランスポートストリーム）データ処理部１５、ＶＩＤＥＯ／ＡＵＤＩＯ処理部１８、記録部１９、制御部２０、時刻管理部２１、予約管理部２２、表示部２３、スピーカ２４、通信制御部２５、音声復号部２６、音声符号化部２７、マイク２８、通信用アンテナ２９を備える。
【００１９】
ＶＨＦアンテナ１１はＶＨＦ帯放送波の受信用アンテナであり、ＵＨＦアンテナ１２はＵＨＦ帯放送波の受信用アンテナである。
アンテナ切替部１３は、チューナ１４へのアンテナ入力経路を切り替える。
チューナ１４は、ＩＳＤＢ−Ｔｍｍ、ワンセグの放送用のチューナであり、ＴＳ（トランスポートストリーム）を出力する。
ＴＳデータ処理部１５は、制御部２０の制御により、チューナ１４から入力されるＴＳデータから、映像データ、音声データ、蓄積放送データ、選局制御用データ、データ放送データ等を分離・構築する。
【００２０】
ＶＩＤＥＯ／ＡＵＤＩＯ処理部１８は、ＴＳデータ処理部１５より入力されるＶＩＤＥＯデータ、ＡＵＤＩＯデータのデコードを行い、映像表示、音声出力処理を行う。
記録部１９は、録画データ、蓄積コンテンツを記録するものであり、メモリなどである。なお、これは外部接続された装置であってもよい。例えば、ＨＤＤやＤＶＤなどの記録媒体を有する記録装置であってもよい。
制御部２０は、ＩＳＤＢ−Ｔｍｍ放送、ワンセグ放送の受信処理全般を制御する。
時刻管理部２１は、現在時刻の取得を行う。
予約管理部２２は、各放送局の蓄積型放送のダウンロード予約、ワンセグ放送の録画予約を管理する。
表示部２３は、液晶パネルや有機ＥＬパネルなどの表示パネルからなり、放送コンテンツの提示を行う。
スピーカ２４は、放送コンテンツの音声や携帯電話の音声の出力を行う。
通信制御部２５は、電話機能を含む携帯電話の通信機能を制御する。
音声復号部２６は、通話時の音声をスピーカ２４に出力する。
音声符号化部２７は、通話時にマイク２８から入力された音声を符号化する。
マイク２８は、通話時に音声を入力する。
通信用アンテナ２９は、携帯電話の通信用のアンテナである。
【００２１】
ＴＳデータ処理部１５はワンセグ録画データ処理部１６と、ＩＳＤＢ−Ｔｍｍ蓄積放送データ処理部１７とを備える。ワンセグ録画データ処理部１６は、制御部２０の制御により、ＴＳデータからワンセグ放送の録画用パケットを抽出し、記録部１９に記録する。ＩＳＤＢ−Ｔｍｍ蓄積放送データ処理部１７は、制御部２０の制御により、ＴＳデータからＩＳＤＢ−Ｔｍｍ放送の蓄積放送パケットを抽出し、蓄積コンテンツの再構築を行い、記録部１９に記録する。
【００２２】
本発明を、ＩＳＤＢ−Ｔｍｍ（ＶＨＦ帯）とワンセグ（ＵＨＦ帯）の受信機能を搭載した携帯電話機に適用した場合の実施例を以下に説明する。
図２に示すように、ＩＳＤＢ−Ｔｍｍの放送局２の蓄積型放送（ファイルキャスティング放送）の番組Ａ（放送時間１９：００〜２０：００）と、ワンセグの放送局３の番組Ｂ（放送時間１９：３０〜２０：３０）は、１９：３０〜２０：００において、記録予約が重複している。この携帯電話機では、図２のような重複予約は予約時には許容されている。
【００２３】
重複録画予約がなされた実施例１の携帯電話機の動作を図３のフローチャートで説明する。
【００２４】
制御部２０は時刻管理部２１より現在時刻を取得する（ステップＳ１）。予約管理部２２の予約管理テーブル（図２参照）の番組予約リストを参照し、記録予約された開始時刻の１分前であれば（ステップＳ２；Ｙｅｓ）、その予約番組終了前に他の予約があるかを確認する（ステップＳ３）。記録予約された開始時刻の１分前でなければ（ステップＳ２；Ｎｏ）、ステップＳ１に戻る。
例えば、図２の予約管理テーブルによれば、１９：００から番組Ａの録画予約があるので、制御部２０は、１８：５９になると、番組Ａの録画時間中に他の重複予約があるかを確認する。
【００２５】
記録予約時間の重複がなければ（ステップＳ３；Ｎｏ）、通常の記録処理を行う（ステップＳ１６）。これは予約開始時刻の１０秒前にチューナを起動し、所望の放送局に選局し、予約開始時刻に記録部１９に対して記録を開始する処理である。
【００２６】
記録予約時間の重複がある場合（ステップＳ３；Ｙｅｓ）、携帯電話機１０を最も感度の良い状態にするようユーザに通知を行う（ステップＳ４）。これは例えばＶＨＦの放送波を受信する場合にはイヤホンアンテナの装着が必要である場合に、そのような操作をユーザに促すような表示を表示部２３に行う処理となる。
【００２７】
制御部２０がチューナ１４を起動する（ステップＳ５）。
ステップＳ６では、重複予約をした番組の受信状態を取得する処理を行う（ステップＳ７〜Ｓ１０）。録画予約をした図２の番組Ａと番組Ｂは、１９：３０〜２０：００で重複している。そこで、ステップＳ６では、放送局２，３の受信状態を取得する。
【００２８】
アンテナ切替部１３にアンテナはＶＨＦアンテナ１１を選択させ、放送局２に選局する（ステップＳ７）。制御部２０は、チューナ１４より、ＢＥＲ、ＣＮ等受信状態を示す情報を取得し、記録部１９に一時記憶する（ステップＳ８）。
次に制御部２０はアンテナ切替部１３にアンテナをＵＨＦアンテナ１２に切替えさせ、放送局３に選局する（ステップＳ９）。制御部２０はチューナ１４より、ＢＥＲ、ＣＮ等受信状態を示す情報を取得し、記録部１９に一時記憶する（ステップＳ１０）。
ステップＳ６では、一定時間だけ、受信状態を示す情報はアンテナ切替を周期的に繰り返し、その平均値を受信状態として取得してもよい。
【００２９】
ステップＳ６で，制御部２０は、記録部１９に記憶した放送局２，３の受信状態を比較し、いずれの受信状態のほうが良好かを判定する（ステップＳ１１）。
【００３０】
比較の結果、放送局２の受信状態のほうが良好であれば、制御部２０はアンテナ切替部１３にアンテナをＶＨＦアンテナ１１に切替えさせ（ステップＳ１２）、放送局２の番組Ａの記録処理を行う（ステップＳ１３）。
【００３１】
比較の結果、放送局３の受信状態のほうが良好であれば、番組Ｂは１７：３０から開始なので、制御部２０は一旦チューナ１４をＯＦＦし、録画開始時刻１０秒前に再度、チューナ１４を起動、放送局３に選局、アンテナをＵＨＦアンテナ１２に切替え（ステップＳ１４）、番組Ｂを記録部１９に記録する処理を行う（ステップＳ１５）。
【００３２】
このように、記録予約が重複した場合でも、予約時に記録する番組の選択を行わず、記録開始時刻に携帯電話機が安定して受信可能な放送局の番組を選択し記録するので、受信圏外のために記録が不可となるリスクを低減することができる。
【００３３】
尚、予約開始時刻前に放送視聴中の場合、チューナ１４は既に起動中なので、上述のチューナ起動、チューナＯＦＦの処理は省略される。また上記説明中の１分、１０秒等の時間は一例として記載しているだけで、これに限定されるわけではない。
また、予め優先して録画される番組を決めておき、ステップＳ１１において両方とも受信状態が良好な場合、両方とも受信状態が悪い場合には、優先番組の録画を行う。
【００３４】
［実施例２］
図１は、デジタル放送を受信できる携帯電話機の実施例２を示すブロック図である。この携帯電話機３０は、図１の実施例１の携帯電話機１０に、現在位置取得部３１と放送受信エリア記憶部３２とが追加された構造である。
現在位置取得部３１は、ＧＰＳ（Global Positioning System）などにより、携帯電話機３０の現在位置（緯度、経度）を取得する。
放送受信エリア記憶部３２は、各放送局の受信可能エリアを記憶する。
【００３５】
重複録画予約がなされた実施例１の携帯電話機の動作を図５のフローチャートで説明する。
上述の実施例１のステップＳ１，２，３の動作と、実施例２のステップＳ２１，２２，２３の部分は同じ動作となる。
記録予約時間の重複がある場合（ステップＳ２３；Ｙｅｓ）、制御部２０は現在位置取得部３１より、携帯電話機３０の現在位置を取得する（ステップＳ２４）。制御部２０は、取得した現在位置と、予め端末内の放送受信エリア記憶部３２に記憶している各放送局の受信エリア情報とを照合し（ステップＳ２５）、受信レベルの高いほうの放送局を選択する（ステップＳ２６）。
【００３６】
ここで携帯電話機内に受信エリア情報を記憶していない場合は、取得した現在位置情報を通信経由で、受信エリア情報を提供するサーバに送信し、携帯電話機のある地点ではどの放送局が一番受信状態がよいかの情報を得る方法もある。
【００３７】
ステップＳ２６で判断された受信状態のよい放送局の番組の記録処理を行う。ステップＳ２６〜Ｓ３１は、実施例１のステップＳ１１〜Ｓ１６と同じ処理を行う。実施例２の効果は、実施例１と同じである。
【００３８】
［変形例］
重複予約番組放送時間中に携帯電話機の移動により記録中の番組が受信不可になった場合は、記録していない他方の放送局の受信状態を確認し、良好な場合は記録処理を行うこともできる。番組あるいは蓄積コンテンツの一部しか記録できないが、ユーザにとってはそれでも有用な場合が多い。
【００３９】
実施例１ではチューナから取得する受信状態を示す情報、実施例２では現在位置情報と受信エリア情報から、より安定して受信できる可能性のある放送局を選択したが、この判断は、さらに以下のような方法で行ってもよい。
携帯電話機に、過去の受信履歴と位置情報の組み合わせのデータベースを保存しておき、現在位置をそのデータベースから過去に同じ位置での受信履歴があれば受信可能と判断する。
重複した番組の記録開始時刻の受信状態による選択時に、重み付けを行ってもよい。例えば番組ＡとＢの予約が重複した場合、番組Ａの放送局の受信レベルはＸ以上が条件だが、番組Ｂの放送局の受信レベルはＹ以上を条件とする等である。
【００４０】
本発明は同じ放送方式の記録予約重複時にも提供できる。例えばワンセグでも地域によっては、あるチャンネルは良好に受信できるが、別のチャンネルは受信不可な場合がある。このような場合、ワンセグの録画予約が重複していても、予約時はそのまま予約を受け付け、記録開始時刻に受信状態を確認して実際に記録する番組を選択する。
【００４１】
本発明による放送受信装置で動作するプログラムは、本発明に関わる上記実施の形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory）などの各種ＲＯＭやＨＤＤ（Hard Disk Drive）に格納され、必要に応じてＣＰＵによって読み出し、修正・書き込みが行われる。
【００４２】
また、各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００４３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。また、上述した実施の形態における放送受信装置の一部、または全部を典型的には集積回路であるＬＳＩとして実現してもよい。放送受信装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【００４４】
以上、この発明の実施の形態を図面を参照して詳述してきたが、具体的な構成はこれらの実施の形態に限られるものではなく、この発明の要旨を逸脱しない範囲の設計変更等された発明も含まれる。
【符号の説明】
【００４５】
１０  携帯電話機
１１  ＶＨＦアンテナ
１２  ＵＨＦアンテナ
１３  アンテナ切替部
１４  チューナ
１５  ＴＳデータ処理部
１６  ワンセグ録画データ処理部
１７  蓄積放送データ処理部
１８  ＶＩＤＥＯ／ＡＵＤＩＯ処理部
１９  記録部
２０  制御部
２１  時刻管理部
２２  予約管理部
２３  表示部
２４  スピーカ
２５  通信制御部
２６  音声復号部
２７  音声符号化部
２８  マイク
２９  通信用アンテナ
３０  携帯電話機
３１  現在位置取得部
３２  放送受信エリア記憶部
【図１】
2013150183.tif 000003
【図２】
2013150183.tif 000004
【図３】
2013150183.tif 000005
【図４】
2013150183.tif 000006
【図５】
2013150183.tif 000007